(57)【要約】【課題】使用者の気分を向上させる吸収性物品包装体及び吸収性物品包装体のパッケージを提供することを目的とする。【解決手段】生理用ナプキン、パンティーライナー、又は吸収パッドであって、粘着部を備える吸収性物品（１）と、吸収性物品を包装する包装材（１１）と、を備える吸収性物品包装体（１０）であって、包装材（１１）は、吸収性物品（１）を包装する際に内側になる面に、複数の主図柄（ｍ）と、主図柄（ｍ）とは異なる１つの副図柄（ｓ）を有し、吸収性物品包装体（１０）を開封して展開し、吸収性物品（１）の肌側から見た展開状態において、主図柄（ｍ）の少なくとも一部は視認可能であり、副図柄（ｓ）の少なくとも一部が、吸収性物品（１）と重なる部分に、又は、粘着部を保護するための保護シート（１５、１６）と重なる部分に設けられていることを特徴とする吸収性物品包装体（１０）である。【選択図】図４
2018102974.tif 000002
【特許請求の範囲】
【請求項１】
生理用ナプキン、パンティーライナー、又は吸収パッドであって、粘着部を備える吸収性物品と、
前記吸収性物品を包装する包装材と、
を備える吸収性物品包装体であって、
前記包装材は、前記吸収性物品を包装する際に内側になる面に、複数の主図柄と、前記主図柄とは異なる１つの副図柄を有し、
前記吸収性物品包装体を開封して展開し、前記吸収性物品の肌側から見た展開状態において、
前記主図柄の少なくとも一部は視認可能であり、
前記副図柄の少なくとも一部が、前記吸収性物品と重なる部分に、又は、前記粘着部を保護するための保護シートと重なる部分に設けられていることを特徴とする吸収性物品包装体。
【請求項２】
請求項１に記載の吸収性物品包装体であって、
前記主図柄及び前記副図柄は動物図柄であることを特徴とする吸収性物品包装体。
【請求項３】
請求項１又は２に記載の吸収性物品包装体であって、
前記主図柄の面積と前記副図柄の面積は異なっていることを特徴とする吸収性物品包装体。
【請求項４】
請求項１から３のいずれか１項に記載の吸収性物品包装体であって、
前記吸収性物品包装体の包装状態において、
前記包装材のうち、前記副図柄が設けられている部分が、前記包装材によって覆われていることを特徴とする吸収性物品包装体。
【請求項５】
請求項１から４のいずれか１項に記載の吸収性物品包装体であって、
前記展開状態において、
前記吸収性物品包装体は、長手方向と、前記長手方向と直交する幅方向と、前記長手方向及び前記幅方向とそれぞれ直交する厚さ方向を有し、
前記保護シートは、前記吸収性物品の前記長手方向に沿い、且つ、前記幅方向の中央部に設けられた中央粘着部を保護するための中央保護シートを有しており、
前記副図柄の少なくとも一部が、前記中央保護シートと重なる部分に設けられていることを特徴とする吸収性物品包装体。
【請求項６】
請求項５に記載の吸収性物品包装体であって、
前記副図柄の前記幅方向の長さは、前記中央保護シートの前記幅方向の長さよりも短いことを特徴とする吸収性物品包装体。
【請求項７】
請求項１から６のいずれか１項に記載の吸収性物品包装体であって、
前記展開状態において、
前記吸収性物品包装体は、長手方向と、前記長手方向と直交する幅方向と、前記長手方向及び前記幅方向とそれぞれ直交する厚さ方向を有し、
前記保護シートは、前記幅方向の外側に突出するウイング部の前記厚さ方向の非肌側に設けられたウイング粘着部を保護するためのウイング保護シートを有しており、
前記副図柄の少なくとも一部が、前記ウイング保護シートと重なる部分に設けられていることを特徴とする吸収性物品包装体。
【請求項８】
請求項７に記載の吸収性物品包装体であって、
前記副図柄の前記幅方向の長さは、前記ウイング保護シートの前記幅方向の長さよりも短いことを特徴とする吸収性物品包装体。
【請求項９】
請求項１から８のいずれか１項に記載の吸収性物品包装体であって、
前記内側になる面とは反対側の面より前記内側になる面の方が、前記主図柄の色及び前記副図柄の色が濃いことを特徴とする吸収性物品包装体。
【請求項１０】
請求項１から９のいずれか１項に記載の吸収性物品包装体であって、
前記展開状態において、
前記副図柄の一部のみが前記保護シートと重なる部分に設けられていることを特徴とする吸収性物品包装体。
【請求項１１】
請求項１から９のいずれか１項に記載の吸収性物品包装体であって、
前記展開状態において、
複数の前記主図柄のうちのある主図柄について、前記ある主図柄の一部のみが前記保護シートと重なる部分に設けられていることを特徴とする吸収性物品包装体。
【請求項１２】
請求項１から１１のいずれか１項に記載の吸収性物品包装体であって、
前記主図柄及び前記副図柄は、それぞれ黒猫の図柄であり、
前記主図柄と前記副図柄の黒猫は互いに異なる姿勢であることを特徴とする吸収性物品包装体。
【請求項１３】
複数の吸収性物品包装体と、前記吸収性物品包装体を収容する袋体と、を有する吸収性物品包装体のパッケージであって、
前記吸収性物品包装体は、生理用ナプキン、パンティーライナー、又は吸収パッドであって、粘着部を備える吸収性物品と、前記吸収性物品を包装する包装材と、を備え、
複数の前記吸収性物品包装体のうち少なくとも１つの前記包装材は、前記吸収性物品を包装する際に内側になる面に、複数の主図柄と、前記主図柄とは異なる１つの副図柄を有し、
前記吸収性物品包装体を開封して展開し、前記吸収性物品の肌側から見た展開状態において、
前記主図柄の少なくとも一部は視認可能であり、
前記副図柄の少なくとも一部が、前記吸収性物品と重なる部分に、又は、前記粘着部を保護するための保護シートと重なる部分に設けられていることを特徴とする吸収性物品包装体のパッケージ。
【請求項１４】
請求項１３に記載の吸収性物品包装体パッケージであって、
複数の前記吸収性物品包装体のうち、少なくとも１つの前記吸収性物品包装体は、前記副図柄を有さないことを特徴とする吸収性物品包装体のパッケージ。
【請求項１５】
請求項１３又は１４に記載の吸収性物品包装体パッケージであって、
複数の前記吸収性物品包装体のうち、第１吸収性物品包装体及び第２吸収性物品包装体の前記包装体は、前記吸収性物品を包装する際に内側になる面に、それぞれ複数の主図柄と、前記主図柄とは異なる１つの副図柄を有し、
前記第１吸収性物品包装体の包装材において、前記副図柄が配置されている位置は、前記第２吸収性物品の包装材において、前記副図柄が配置されている位置と異なっていることを特徴とする吸収性物品包装体のパッケージ。
【発明の詳細な説明】
【技術分野】
【０００１】
本発明は、吸収性物品包装体及び吸収性物品包装体のパッケージに関する。
【背景技術】
【０００２】
着用者の着衣に固定して使用する吸収性物品として、生理用ナプキン、パンティーライナー、及び吸収パッドが知られている。これらの吸収性物品を使用する際には、着用者は煩わしいと感じたりする場合がある。特に、生理用ナプキンは、女性の生理期間中に使用する吸収性物品であるため、生理用ナプキンに対してネガティブな感情を持っている人もいる。この点、特許文献１において、生理用ナプキン２０の身体に接触する層３０を通して見ることができるグラフィック６５を設けることで、女性の憂鬱な気分を軽減させる方法が開示されている。
【先行技術文献】
【特許文献】
【０００３】
【特許文献１】特表２００５−５２３１３９号
【発明の概要】
【発明が解決しようとする課題】
【０００４】
しかしながら、特許文献１に示された生理用ナプキン２０のグラフィック６５は常に視界に入るものであるため、パッケージに複数個の生理用ナプキン２０が収容されている場合、複数個の生理用ナプキン２０を使用していくにつれ、使用者にとってグラフィック６５は見慣れたものとなってしまい、憂鬱な気分を軽減させにくくなってしまう恐れがあった。
【０００５】
本発明は、上記のような従来の問題に鑑みてなされたものであって、その目的は、使用者の気分を向上させる吸収性物品包装体及び吸収性物品包装体のパッケージを提供することにある。
【課題を解決するための手段】
【０００６】
上記目的を達成するための主たる発明は、生理用ナプキン、パンティーライナー、又は吸収パッドであって、粘着部を備える吸収性物品と、前記吸収性物品を包装する包装材と、を備える吸収性物品包装体であって、前記包装材は、前記吸収性物品を包装する際に内側になる面に、複数の主図柄と、前記主図柄とは異なる１つの副図柄を有し、前記吸収性物品包装体を開封して展開し、前記吸収性物品の肌側から見た展開状態において、前記主図柄の少なくとも一部は視認可能であり、前記副図柄の少なくとも一部が、前記吸収性物品と重なる部分に、又は、前記粘着部を保護するための保護シートと重なる部分に設けられていることを特徴とする吸収性物品包装体である。
本発明の他の特徴については、本明細書及び添付図面の記載により明らかにする。
【発明の効果】
【０００７】
本発明によれば、吸収性物品の使用時に、吸収性物品を包装材から分離させると、これまで視認可能であった主図柄とは異なる副図柄を視認することができるため、使用者は、これまでに見ていた主図柄とは異なる副図柄に気付くことで、使用者に特別な商品であるかのような感じを与えたり、使用者の気分を転換させやすくなったりしやすくなり、使用者の気分を向上させやすくなる。
【図面の簡単な説明】
【０００８】
【図１】図１は、パッケージ１００の斜視図である。
【図２】図２は、展開状態の包装体１０を、ナプキン１の肌側から見た図である。
【図３】図３Ａは、ナプキン１を厚さ方向の肌側から見た正面図である。図３Ｂは、ナプキン１を厚さ方向の非肌側から見た正面図である。
【図４】図４は、包装材１１を内側から見た図である。
【図５】図５は、包装材１１を外側から見た図である。
【図６】図６Ａは、ナプキン１のウイング部１Ｗを幅方向の内側に折り畳んだ状態を説明する図である。図６Ｂは、図６Ａの状態の包装体１０を第２折り畳み部Ｆ２で折り畳んだ状態を説明する図である。
【図７】図７Ａは、包装状態の包装体１０をテープ１２側から見た図である。図７Ｂは、包装状態の包装体１０をテープ１２側の反対側から見た図である。
【図８】図８は、図２の包装体１０からナプキン１を分離させた状態を説明する図である。
【図９】図９は、第２実施形態における展開状態の包装体１０からナプキン１を分離させた状態を説明する図である。
【図１０】図１０は、別の実施形態における包装材１１を内側から見た図である。
【図１１】図１１Ａは、別の実施形態における包装材１１を内側から見た図である。図１１Ｂは、別の実施形態における包装材１１を内側から見た図である。
【発明を実施するための形態】
【０００９】
本明細書及び添付図面の記載により、少なくとも以下の事項が明らかとなる。
生理用ナプキン、パンティーライナー、又は吸収パッドであって、粘着部を備える吸収性物品と、前記吸収性物品を包装する包装材と、を備える吸収性物品包装体であって、前記包装材は、前記吸収性物品を包装する際に内側になる面に、複数の主図柄と、前記主図柄とは異なる１つの副図柄を有し、前記吸収性物品包装体を開封して展開し、前記吸収性物品の肌側から見た展開状態において、前記主図柄の少なくとも一部は視認可能であり、前記副図柄の少なくとも一部が、前記吸収性物品と重なる部分に、又は、前記粘着部を保護するための保護シートと重なる部分に設けられていることを特徴とする吸収性物品包装体である。
【００１０】
このような吸収性物品包装体によれば、吸収性物品の使用時に、吸収性物品を包装材から分離させると、これまで視認可能であった主図柄とは異なる副図柄を視認することができるため、使用者は、これまでに見ていた主図柄とは異なる副図柄に気付くことで、使用者に特別な商品であるかのような感じを与えたり、使用者の気分を転換させやすくなったりしやすくなり、使用者の気分を向上させやすくなる。
【００１１】
かかる吸収性物品包装体であって、前記主図柄及び前記副図柄は動物図柄であることが望ましい。
【００１２】
このような吸収性物品包装体によれば、動物図柄は使用者に癒しの効果を与えやすく、使用時において使用者の気分を向上させやすくなる。
【００１３】
かかる吸収性物品包装体であって、前記主図柄の面積と前記副図柄の面積は異なっていることが望ましい。
【００１４】
このような吸収性物品包装体によれば、主図柄と副図柄の存在に気付きやすくなり、使用時において使用者の気分を向上させやすくなる。
【００１５】
かかる吸収性物品包装体であって、前記吸収性物品包装体の包装状態において、前記包装材のうち、前記副図柄が設けられている部分が、前記包装材によって覆われていることが望ましい。
【００１６】
このような吸収性物品包装体によれば、たとえ吸収性物品を包装する際に外側になる面から副図柄を視認することができるような場合であっても、吸収性物品包装体の包装状態では副図柄を視認することはできず、吸収性物品を使用時に初めて副図柄を視認することができるため、使用時において使用者の気分を向上させやすくなる。
【００１７】
かかる吸収性物品包装体であって、前記展開状態において、前記吸収性物品包装体は、長手方向と、前記長手方向と直交する幅方向と、前記長手方向及び前記幅方向とそれぞれ直交する厚さ方向を有し、前記保護シートは、前記吸収性物品の前記長手方向に沿い、且つ、前記幅方向の中央部に設けられた中央粘着部を保護するための中央保護シートを有しており、前記副図柄の少なくとも一部が、前記中央保護シートと重なる部分に設けられていることが望ましい。
【００１８】
このような吸収性物品包装体によれば、吸収性物品の使用時に、吸収性物品を包装材から分離させると、これまで視認可能であった主図柄とは異なる副図柄を視認することができるため、使用者は、これまでに見ていた主図柄とは異なる副図柄に気付くことで、使用者に特別な商品であるかのような感じを与えたり、使用者の気分を転換させやすくなったりしやすくなり、使用者の気分を向上させやすくなる。吸収性物品を交換する際は、特に憂鬱な気分となりやすいため、副図柄に気付かせることで、気分を転換する効果をより与えやすくなる。
【００１９】
かかる吸収性物品包装体であって、前記副図柄の前記幅方向の長さは、前記中央保護シートの前記幅方向の長さよりも短いことが望ましい。
【００２０】
このような吸収性物品包装体によれば、包装状態においては、副図柄を視認しづらくしやすくなるため、使用者は、包装状態において気付かなかった副図柄の存在を、使用時に気付きやすくなることで、より使用者の気分を向上させやすくなる。
【００２１】
かかる吸収性物品包装体であって、前記展開状態において、前記吸収性物品包装体は、長手方向と、前記長手方向と直交する幅方向と、前記長手方向及び前記幅方向とそれぞれ直交する厚さ方向を有し、前記保護シートは、前記幅方向の外側に突出するウイング部の前記厚さ方向の非肌側に設けられたウイング粘着部を保護するためのウイング保護シートを有しており、前記副図柄の少なくとも一部が、前記ウイング保護シートと重なる部分に設けられていることが望ましい。
【００２２】
このような吸収性物品包装体によれば、吸収性物品の使用時に、吸収性物品を包装材から分離させると、これまで視認可能であった主図柄とは異なる副図柄を視認することができるため、使用者は、これまでに見ていた主図柄とは異なる副図柄に気付くことで、使用者に特別な商品であるかのような感じを与えたり、使用者の気分を転換させやすくなったりしやすくなり、使用者の気分を向上させやすくなる。
【００２３】
かかる吸収性物品包装体であって、前記副図柄の前記幅方向の長さは、前記ウイング保護シートの前記幅方向の長さよりも短いことが望ましい。
【００２４】
このような吸収性物品包装体によれば、包装状態においては、副図柄を視認しづらくしやすくなるため、使用者は、包装状態において気付かなかった副図柄の存在を、使用時に気付きやすくなることで、より使用者の気分を向上させやすくなる。
【００２５】
かかる吸収性物品包装体であって、前記内側になる面とは反対側の面より前記内側になる面の方が、前記主図柄の色及び前記副図柄の色が濃いことが望ましい。
【００２６】
このような吸収性物品包装体によれば、包装状態においては、副図柄を視認しづらくしやすくなるため、使用者は、包装状態において気付かなかった副図柄の存在を、使用時に気付きやすくなることで、より使用者の気分を向上させやすくなる。
【００２７】
かかる吸収性物品包装体であって、前記展開状態において、前記副図柄の一部のみが前記保護シートと重なる部分に設けられていることが望ましい。
【００２８】
このような吸収性物品包装体によれば、吸収性物品包装体の展開状態において副図柄の一部を視認することで、使用者に副図柄の全体を見たいという期待感を抱かせやすくなる。
【００２９】
かかる吸収性物品包装体であって、前記展開状態において、複数の前記主図柄のうちのある主図柄について、前記ある主図柄の一部のみが前記保護シートと重なる部分に設けられていることが望ましい。
【００３０】
このような吸収性物品包装体によれば、吸収性物品包装体の展開状態において、一部が覆われており、一部が視認可能な主図柄を視認することで、保護シートを包装材から分離させる前の状態で保護シートによって隠された主図柄が存在することを認識しやすくなり、使用時に主図柄及び副図柄を見つけやすくなって、より使用者の気分を向上させやすくなる。
【００３１】
かかる吸収性物品包装体であって、前記主図柄及び前記副図柄は、それぞれ黒猫の図柄であり、前記主図柄と前記副図柄の黒猫は互いに異なる姿勢であることが望ましい。
【００３２】
このような吸収性物品包装体によれば、吸収性物品包装体の展開状態において、一部が覆われており、一部が視認可能な主図柄を視認することで、吸収性物品又は保護シートによって隠された主図柄が存在することを認識しやすくなり、使用時に主図柄及び副図柄を見つけやすくなって、より使用者の気分を向上させやすくなる。
【００３３】
複数の吸収性物品包装体と、前記吸収性物品包装体を収容する袋体と、を有する吸収性物品包装体のパッケージであって、前記吸収性物品包装体は、生理用ナプキン、パンティーライナー、又は吸収パッドであって、粘着部を備える吸収性物品と、前記吸収性物品を包装する包装材と、を備え、複数の前記吸収性物品包装体のうち少なくとも１つの前記包装材は、前記吸収性物品を包装する際に内側になる面に、複数の主図柄と、前記主図柄とは異なる１つの副図柄を有し、前記吸収性物品包装体を開封して展開し、前記吸収性物品の肌側から見た展開状態において、前記主図柄の少なくとも一部は視認可能であり、前記副図柄の少なくとも一部が、前記吸収性物品と重なる部分に、又は、前記粘着部を保護するための保護シートと重なる部分に設けられていることを特徴とする吸収性物品包装体のパッケージである。
【００３４】
このような吸収性物品包装体のパッケージによれば、パッケージ中の吸収性物品包装体の吸収性物品の使用時に、吸収性物品を包装材から分離させると、これまで視認可能であった主図柄とは異なる副図柄を視認することができるため、使用者は、これまでに見ていた主図柄とは異なる副図柄に気付くことで、使用者に特別な商品であるかのような感じを与えたり、使用者の気分を転換させやすくなったりしやすくなり、使用者の気分を向上させやすくなる。
【００３５】
かかる吸収性物品包装体のパッケージであって、複数の前記吸収性物品包装体のうち、少なくとも１つの前記吸収性物品包装体は、前記副図柄を有さないことが望ましい。
【００３６】
このような吸収性物品包装体のパッケージによれば、１つの吸収性物品包装体のパッケージの中に、副図柄を有していない吸収性物品包装体を備えることで、副図柄を有する吸収性物品包装体を視認することができた際には、使用者はうれしさを感じやすくなり、使用者の気分を向上させやすくなる。
【００３７】
かかる吸収性物品包装体のパッケージであって、複数の前記吸収性物品包装体のうち、第１吸収性物品包装体及び第２吸収性物品包装体の前記包装体は、前記吸収性物品を包装する際に内側になる面に、それぞれ複数の主図柄と、前記主図柄とは異なる１つの副図柄を有し、前記第１吸収性物品包装体の包装材において、前記副図柄が配置されている位置は、前記第２吸収性物品の包装材において、前記副図柄が配置されている位置と異なっているることが望ましい。
【００３８】
このような吸収性物品包装体のパッケージによれば、それぞれ第１吸収性物品包装体と第２吸収性物品包装体の副図柄の位置が異なっているため、使用者は使用時毎に副図柄を探す楽しみをえることができ、使用者の気分を向上させやすくなる。
【００３９】
＝＝＝第１実施形態＝＝＝
以下、本発明に係る吸収性物品包装体として生理用ナプキンの包装体を例に挙げて実施形態を説明するが、吸収性物品は、生理用ナプキンに限らず、パンティーライナー、又は吸収パッドのように、使用者の着衣に固定して使用する吸収性物品であってもよい。
【００４０】
＜＜パッケージ１００＞＞
図１は、パッケージ１００の斜視図である。図１に示すように、パッケージ（「吸収性物品包装体のパッケージ」ともいう。）１００は、包装用の袋体１０１に複数の包装体（「吸収性物品包装体」ともいう。）１０、１０、・・・が収容されたものである。本実施形態においては、１つのパッケージ１００に８個の包装体１０が収容されている。
【００４１】
＜＜包装体１０＞＞
図２は、展開状態の包装体１０を、ナプキン１の肌側から見た図である。図３Ａは、ナプキン１を厚さ方向の肌側から見た正面図であり、図３Ｂは、ナプキン１を厚さ方向の非肌側から見た正面図である。図４は、包装材１１を内側から見た図である。図５は、包装材１１を外側から見た図である。図６Ａは、ナプキン１のウイング部１Ｗ（後述）を幅方向の内側に折り畳んだ状態を説明する図であり、図６Ｂは、図６Ａの状態の包装体１０を第２折り畳み部Ｆ２で折り畳んだ状態を説明する図である。図７Ａは、包装状態の包装体１０をテープ１２側から見た図であり、図７Ｂは、包装状態の包装体１０をテープ１２側の反対側から見た図である。
【００４２】
包装体１０は、生理用ナプキン（以下、「ナプキン」ともいう。）１、中央保護シート１５、及びウイング保護シート１６を備える。図２に示すように、展開状態の包装体１０は、下から順に図４及び図５に示す包装材１１、中央保護シート１５、図３Ａ及び図３Ｂに示すナプキン１、及びウイング保護シート１６が重ねて配置されている。
【００４３】
中央保護シート１５及びウイング保護シート１６は、それぞれ中央粘着部６及びウイング粘着部７を保護するためのシート部材である。中央保護シート１５及びウイング保護シート１６の表面には、シリコン樹脂等を用いた剥離加工が施されており、中央粘着部６及びウイング粘着部７に対して剥離可能となっている。図２等において、中央保護シート１５及びウイング保護シート１６を便宜上、左斜め下の斜線のハッチングで示している。中央保護シート１５及びウイング保護シート１６は、それぞれ光透過性が高く、包装材１１の内側の面１１ａに重ねた場合、後述の主図柄ｍ及び副図柄ｓを中央保護シート１５及びウイング保護シート１６越しに視認することが可能である（図８）。
【００４４】
そして、図６Ａに示すように、この展開状態の包装体１０について、ナプキン１のウイング部１Ｗ（後述）を幅方向の内側に折り畳んだ状態を形成し、続いて、図６Ｂに示すように、ナプキン１の肌側を内側にして、第２折り畳み部Ｆ２で折り畳んだ状態を形成する。その後、第１折り畳み部Ｆ１で折り畳んで、幅方向の端部に熱融着等の処理を行い、包装材１１の長手方向の端部をテープ１２で係止することで、図７Ａ及び図７Ｂに示す包装状態の包装体１０となる。
【００４５】
なお、「展開状態」とは、包装状態の包装体１０の係止や熱融着を解除して包装体１０を開封し、各部材を折り目がない状態、つまり、第１及び第２折り畳み部Ｆ１、Ｆ２やウイング部１Ｗの折り畳まれた部分を全て広げて展開した状態をいう。
【００４６】
＜＜ナプキン１＞＞
ナプキン１は、互いに直交する長手方向、幅方向、及び厚さ方向を有する。また、ナプキン１の長手方向において、使用者の下腹部に当接する側を「前側」といい、使用者の臀部に当接する側を「後側」という。また、ナプキン１の厚さ方向において、使用者の肌に当接する側を「肌側」といい、その反対側を「非肌側」という。
【００４７】
ナプキン１は、長手方向の中央部から幅方向の両外側に延出した一対のウイング部１Ｗを有している。以下、ナプキン１の長手方向において、ウイング部１Ｗが設けられた部分を中央部１Ｂ、中央部１Ｂより前側の部分を前側部１Ａ、中央部１Ｂより後側の部分を後側部１Ｃという。
【００４８】
ナプキン１は、厚さ方向の肌側から順に、肌側シート２と、吸収体４と非肌側シート３が積層され、接着剤等で接合されている。
【００４９】
肌側シート２は、液透過性のシート部材であり、エアスルー不織布等を例示できる。非肌側シート３は、液不透過性のシート部材であり、ポリエチレン（ＰＥ）の樹脂フィルム等を例示できる。肌側シート２及び非肌側シート３は、平面サイズが吸収体４よりも大きく、吸収体４の平面全体を覆っている。
【００５０】
吸収体４は、排泄物を吸収して内部に保持する部材である。吸収体４は、パルプ繊維等の液体吸収性繊維や、液体吸収性繊維に高吸収性ポリマー（所謂ＳＡＰ）を含有するものから構成されている。
【００５１】
ナプキン１は、圧搾部５を有している。圧搾部５は、吸収体４と、吸収体４よりも肌側に設けられているシート部材（肌側シート２）とがともに圧縮された複数の円形の円形圧搾部である。図３Ａに示すように、圧搾部５は、肌側面から視認すると、猫の図柄を表している。具体的には、前側部１Ａは猫の頭部、中央部１Ｂは猫の胴部、後側部１Ｃは猫の脚部及び尻尾を表している。後側部１Ｃの猫の尻尾部分は、複数の圧搾部が略長手方向に沿った第１圧搾領域と第２圧搾領域を有している。第１圧搾領域と第２圧搾領域は、より中央部１Ｂに近い部分で連続している。第２折り畳み部Ｆ２において吸収体４を幅方向に３等分し、左側領域、中央領域、右側領域に分けた場合のいずれかの領域において、第１圧搾領域及び第２圧搾領域が設けられている。本実施形態においては、第１圧搾領域及び第２圧搾領域は、それぞれ第２折り畳み部Ｆ２と交差している。着用者の臀部に該当する部分に、着用者の臀部に該当する部分の左右方向の一方側には、１対の圧搾領域である第１圧搾領域と第２圧搾領域とが設けられている。第１圧搾領域と第２圧搾領域が設けられた部分は、より剛性が高くなっていることから、ナプキン１の使用によってナプキン１の臀部の形状が崩れてしまう恐れをより軽減することができる。また、圧搾部５の猫の尻尾部分の形状を維持しやすくなるため、使用後においても、圧搾部５の猫の図柄を視認しやすくなる。
【００５２】
ナプキン１の非肌側面（つまり、非肌側シート３の非肌側面）には、中央粘着部６が設けられている。中央粘着部６は、長手方向は、中央部１Ｂ、及び中央部１Ｂを前側及び後側に延出する領域で、且つ、幅方向の中央領域に設けられている。中央粘着部６は、ナプキン１の使用時に下着等の着衣の肌側面に貼り付けられる。これによって、ナプキン１は下着等に固定される。
【００５３】
同様に、ウイング部１Ｗの厚さ方向の非肌側面には、ウイング粘着部７が設けられている。ナプキン１の使用時にウイング部１Ｗは非肌側に折り曲げられ、ウイング粘着部７は、下着等の非肌側面に張り付けられる。これにより、ウイング部１Ｗは下着等に固定される。
【００５４】
＜＜包装材１１＞＞
包装材１１は、ナプキン１を個別に包装するシート部材であり、不織布や不織布をラミネート加工したフィルム等から形成されている。包装材１１は、プラスチックフィルム、ナイロンフィルム等の各種フィルム等から形成していてもよい。包装材１１には、内側の面１１ａに中央保護シート１５及びウイング保護シート１６が接着剤等により接合されている。
【００５５】
図４に示すように、包装材１１の内側の面１１ａには、複数の主図柄ｍと１つの副図柄ｓが設けられている。包装材１１の「内側の面１１ａ」とは、図７Ａ及び図７Ｂに示すように、包装材１１の面のうち、包装状態において、外部に露出しない面をいう。一方、包装材１１の面のうち、包装状態において、外部に露出する面を有する面を「外側の面１１ｂ」という。
【００５６】
複数の主図柄ｍは、同じ図柄である。つまり、複数の主図柄ｍは、同じ形状で、同じ色を有している。また、主図柄が、動物の図柄であることが好ましい。具体的には、全て首にリボンを付けた黒猫の、座った姿勢の後ろ姿の図柄である。また、主図柄ｍは、略規則正しく、千鳥状に配置されている。
【００５７】
図４に示す副図柄ｓは、主図柄ｍと同じ種類の動物の黒猫の図柄である。副図柄ｓは、伸びをしている姿勢の黒猫を、横から見た図柄であり、主図柄ｍと同様に黒猫の首にはリボンが付けられている。図４に示すように、規則正しく千鳥状に配置された主図柄ｍが配置されるべき位置のうちの１つの位置に、主図柄ｍの代わりに副図柄ｓが設けられている。つまり、黒猫の図柄としては、千鳥状に規則正しく配置されているが、１つだけ主図柄ｍとは異なる副図柄ｓが紛れている状態となっている。なお、副図柄ｓは、１つの包装材１１に２つ以上設けないことにする。
【００５８】
なお、主図柄ｍ及び副図柄ｓは、それぞれ黒色を多く取り入れた図柄であることがより好ましい。黒色は、オストワルト表色系の色相環に含まれない無彩色である。そのため、補色がなく、包装材１１がどんな色であっても主図柄ｍと副図柄ｓが視認しやすい図柄とすることができる。
【００５９】
図５に示すように、包装材１１の外側の面１１ｂから、内側の面１１ａに設けた主図柄ｍ及び副図柄ｓを視認することができる。つまり、外側の面１１ｂから包装材１１を透かして主図柄ｍと副図柄ｓとが視認可能となっている。そのため、内側の面１１ａから見た主図柄ｍ及び副図柄ｓのそれぞれの色は、外側の面１１ｂから見た主図柄ｍ及び副図柄ｓのそれぞれの色よりも濃い。これによって、副図柄ｓの存在や副図柄ｓの位置を包装状態においては使用者に気付きにくくさせ、一方で、使用時において、包装材１１の内側の面１１ａから副図柄ｓの存在や副図柄ｓの位置を認識させやすくすることができる。
【００６０】
なお、包装材１１には、主図柄ｍと副図柄ｓとは別に、複数の円形図柄とナプキン１の識別表示が背景図柄として設けられている。
【００６１】
＜＜ナプキン１の使用時について＞＞
使用者がナプキン１を使用する際には、図７Ａ等の包装状態の包装体１０から、図２に示す展開状態の包装体１０とし、包装材１１、中央保護シート１５及びウイング保護シート１６からナプキン１を分離させて使用する。図８は、図２の包装体１０からナプキン１を分離させた状態を説明する図である。
【００６２】
展開状態の包装体１０においては、包装材１１の副図柄ｓが、ナプキン１と重なる部分に設けられている。そのため、展開状態の包装体１０を肌側から見ると、ナプキン１より外側で、且つウイング保護シート１６より外側の領域の複数の主図柄ｍを視認することができるが、副図柄ｓを視認することはできない。
【００６３】
続いて、包装材１１、中央保護シート１５及びウイング保護シート１６からナプキン１を分離させると、図８に示すように、部分的に中央保護シート１５及びウイング保護シート１６越しであるが、包装材１１の内側の面１１ａを視認することができる状態となる。
【００６４】
使用者は、包装材１１を見ると、複数の同じ図柄である主図柄ｍの中に、１つだけ異なる図柄である副図柄ｓを視認することができる。なお、中央保護シート１５及びウイング保護シート１６を包装材１１から分離させた図４の状態で見るとより鮮明に視認することができる。
【００６５】
使用者にとって、ナプキン等の吸収性物品を使用する状態は、憂鬱な気分であったり、煩わしい気分であったりと、ネガティブな気分であることが多い。この点、包装体１０を用いて使用時における使用者の気分を向上させ易くしている。つまり、図２に示す展開状態の包装体１０では、複数の主図柄ｍを視認することができる一方で、視認することができなかった副図柄ｓを、図４に示すナプキン１等を取り除いた状態で視認することができるようにすることで、使用者には、これまでに見ていた主図柄ｍとは異なる副図柄ｓの存在に気付かせることができる。これによって、使用者に包装体１０が特別な商品であるかのような感覚を与えやすくなり、使用者の気分を向上させやすくしている。また、使用者は、主図柄ｍとは異なる副図柄ｓを探しながら包装体１０を開封するようになるため、開封動作がゆっくりと慎重に行われ、包装体１０の熱融着(シール部)等がきれいに開封され、包装材１１が破れてしまうこと等が抑制される。したがって、ナプキン１の使用後に該ナプキン１の外側に包装材１１を巻き付けて廃棄する場合に、破れのない包装材１１によって使用後のナプキン１をしっかりと包み込んだ状態で廃棄することができるようになる。また、包装体１０の開封動作が慎重に行われることにより、ナプキン１から包装材１１を離脱させる際にナプキン１の中央粘着部６やウイング粘着部７等が他の部位にくっついてしまう等のミスを低減させたり、ナプキン１を下着に取り付ける際に位置ずれを生じにくくさせたりすることができる。
【００６６】
図７Ｂに示すように、包装状態の包装体１０において、副図柄ｓが外観上、視認できる状態にある。しかし、包装材１１の外側の面１１ｂの主図柄ｍ及び副図柄ｓの色は、内側の面１１ａの主図柄ｍ及び副図柄ｓの色よりも薄いことから、包装状態における外側の面１１ｂから視認することができる主図柄ｍ及び副図柄ｓは、内側の面１１ａから視認することができる主図柄ｍ及び副図柄ｓよりも認識しづらい。また、包装状態において、規則正しく配置した複数の主図柄ｍと副図柄ｓとの違いを認識することは難しい。図７Ａ及び図７Ｂに示すように、テープ１２側から見た際、又はテープ１２側の反対側から見た際に、規則正しく配置された主図柄ｍの数が展開状態の包装材１１よりも少ないため、主図柄ｍが規則正しく配置されているという認識を与えにくい。この点、包装体１０の展開状態における包装材１１の内側の面１１ａについて、使用者は主図柄ｍが規則正しく配置されていることを素早く認識すると同時に、１つだけ異なる副図柄ｓが際立ったものと感じやすくなり、特別なものを見つけたという充足感を味わうことができる。つまり、規則正しく並んだ状態の主図柄ｍの中に１つの副図柄ｓがあることで、より副図柄ｓの特殊性が際立つようになる。また、副図柄ｓという特殊な図柄を配置することで、主図柄ｍが単なる背景模様として認識されて飽きられてしまう恐れを軽減させやすくなる。
【００６７】
一般的に、動物の図柄、特にペットとして愛着のある猫の図柄を用いるだけでも使用者の気分を向上させる一因となりうる。しかし、黒猫の図柄は、パッケージ１００や主図柄ｍに常に表示されているため、黒猫の図柄に対して慣れが生じてしまう恐れがある。これに対し、副図柄ｓを設けることで、見慣れた主図柄ｍの中に、副図柄ｓを見つけるという感情の動きによって、使用者の気分を転換させやすくし、気分を向上させやすくなる。
【００６８】
主図柄ｍと副図柄ｓがそれぞれ動物図柄であることが好ましい。主図柄ｍと副図柄ｓが動物の図柄であることで、使用者はより癒しの効果を得ることができる。特に、動物の図柄は、その動物の姿勢によって動きを表現することが可能であるため、主図柄ｍと副図柄ｓの表現のバリエーションを広げることもできる。さらに、主図柄ｍと副図柄ｓを同じ種類の動物とすることで、図４に示すように、複数の主図柄ｍが等間隔で並んでいる中で、１つだけ異なる副図柄ｓがより際立った存在となる。これによって、副図柄ｓを見つけることで、使用者は癒しや驚きを感じて、使用者の感情を動かしやすくなり、使用者の気分を向上させやすくなる。また、主図柄ｍ及び副図柄ｓがともに「動物」の図柄であることにより、当該動物図柄を見た使用者に動物と触れ合った体験等を想起させやすく、使用者のストレスを軽減させることができる。
【００６９】
そして、このような動物図柄には動きがあるため、例えばドーナッツの色違いや形違いといった意味を持たない副図柄ｓではなく、違う動作の副図柄ｓを探すことにより、使用者に、次はどんな動作をしているものだろうといった期待感を味わせることができる。また、使用者は、動物の副図柄ｓを探すことによってナプキン１を交換することが楽しみになり、ナプキン１を交換する頻度が増加しやすくなる。これにより、ナプキン１の長時間の使用によって起きるムレによる肌トラブルを軽減しやすくなる。また、ナプキン１を交換すること自体が記憶に残りやすくなり、交換タイミングや使用枚数の目安になる。
【００７０】
なお、必ずしも主図柄ｍと副図柄ｓは同じ種類の動物である必要はない。主図柄ｍと副図柄ｓが異なる動物であってもよいし、主図柄ｍと副図柄ｓがそれぞれ動物の図柄ではなく、幾何学模様や、花柄等の種々の図柄であってもよい。ただし、主図柄ｍと副図柄ｓは、互いに関連性のある図柄であることが好ましい。互いに関連性のある図柄とは、同じ種類の動物であることや、例えば、「にわとり」と「ひよこ」のように観念的に、又は生物学的に関連する動物であることをいう。主図柄ｍに対する副図柄ｓの存在を認識されないという事態を防ぐためである。
【００７１】
包装材１１のうち、副図柄ｓを配置する位置は、包装体１０毎に異なっていることがより好ましい。例えば、パッケージ１００に収容された８個の包装体に、第１ナプキンと第２ナプキンが収容されている場合に、第１ナプキンは副図柄ｓを包装材１１の前側領域に配置し、第２ナプキンは副図柄ｓを包装材１１の後側領域に配置するような構成であってもよい。これによって、使用者は、１つのパッケージ１００に収容された複数の包装体１０を使用する毎に、異なる位置に配置された副図柄ｓを探す楽しみを味わうことができる。
【００７２】
さらに、副図柄ｓは、１つの包装体１０につき１つ又は０個であってもよい。つまり、１つのパッケージ１００の中に、副図柄ｓを有する包装体１０だけでなく、副図柄ｓを有さない包装体１０が収容されていてもよい。これによって、副図柄ｓを有する包装体１０に希少価値を付加することができ、副図柄ｓを有する包装体１０のナプキン１を使用する際に、副図柄ｓを視認した際の喜びをより大きなものにさせることができる。
【００７３】
＝＝＝第２実施形態＝＝＝
第１実施形態においては、光透過性の高い中央保護シート１５及びウイング保護シート１６を用いたが、光透過性の低い中央保護シート１５及びウイング保護シート１６を用いて、副図柄ｓに、中央保護シート１５又はウイング保護シート１６を重ねて、展開状態の包装体１０を肌側から見た際に、中央保護シート１５又はウイング保護シート１６によって副図柄ｓを視認しづらい状態としてもよい。ナプキン１を交換する際は、特に憂鬱な気分を感じやすいところ、ナプキン１の交換時に、中央保護シート１５又はウイング保護シート１５と重なる部分に設けられた副図柄ｓの存在に気付かせることで、使用者の気分をより転換させやすくなる。
【００７４】
図９は、第２実施形態における展開状態の包装体１０からナプキン１を分離させた状態を説明する図である。図９においては、光透過性の低い中央保護シート１５及びウイング保護シート１６を用いている。図９に示すように、副図柄ｓの一部は、中央保護シート１５と重なる部分に設けられている。使用者が包装材１の内側の面１１ａの側から見ると、中央保護シート１５及びウイング保護シート１６が重ねられた部分は、包装材１１の図柄を視認しづらく、中央保護シート１５及びウイング保護シート１６が重ねられた部分は包装材１１の図柄を視認しやすいものとなる。つまり、副図柄ｓのうち中央保護シート１５が重ねられた部分を使用者は視認しづらく、副図柄ｓのうち中央保護シート１５が重ねられていない部分を使用者は視認しやすい。
【００７５】
これによって、使用者は、中央保護シート１５が重ねられていない部分の副図柄ｓを見ることで、中央保護シート１５が重ねられた部分に副図柄ｓの隠された部分があるのではないかという推測をすることができるため、期待感を抱かせやすく、中央保護シート１５を包装材１１から分離させるという行動を起こさせやすくなる。
【００７６】
さらに、主図柄ｍのうち主図柄ｍａ、ｍｂ、ｍｃ等の各図柄の一部には、中央保護シート１５が重ねられ、主図柄ｍａ、ｍｂ、ｍｃは黒猫の頭部が中央保護シート１５によって隠されており、黒猫のお尻及び尻尾部分は視認可能な状態となっている。これを見た使用者に、主図柄ｍａ、ｍｂ、ｍｃについて、黒猫の頭部が中央保護シート１５によって隠されており、中央保護シート１５によってその他の図柄も隠されているのではないかという推測や期待を抱かせやすくなる。その推測や期待によって、使用者に中央保護シート１５を包装材１１から分離させる行動を起こさせやすくなり、副図柄ｓの存在に気付かせやすくさせることができる。
【００７７】
副図柄ｓの少なくとも一部を、中央保護シート１５と重なる部分に設ける場合には、副図柄ｓの幅方向の長さＷｓを、中央保護シート１５の幅方向の長さＷ１５よりも短くすることが好ましい。これによって、副図柄ｓを中央保護シート１５で覆いやすくなるため、中央保護シート１５を包装材１１から分離させた際に初めて副図柄ｓを視認しやすい状態としやすくなり、副図柄ｓの存在に気付いた使用者の気分を向上させやすくなる。
【００７８】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００７９】
上述の実施形態においては、中央保護シート１５とウイング保護シート１６を備える包装体１０としたが、これに限られない。例えば、包装材１１をプラスチックフィルム、ナイロンフィルム等の各種フィルム等で構成して、中央保護シート１５又はウイング保護シート１６のいずれか一方のみを用いる構成でもよいし、その両方を用いない構成としてもよい。この場合には、副図柄ｓの少なくとも一部をナプキン１に重なる部分に設けるとよい。これによって、使用者は、ナプキン１を使用する際に、ナプキン１を包装材１１から分離させた際に、副図柄ｓの存在に気付くことができるため、使用者の気分を向上させることができる。
【００８０】
さらに、上述の実施形態においては、パッケージ１００に複数個の包装体１０を収容することにしたが、これに限られない。１つのパッケージ１００に、１つの包装体１０を備える構成であってもよい。
【００８１】
また、展開状態において、副図柄ｓの少なくとも一部が、ナプキン１、中央保護シート１５又はウイング保護シート１６によって覆われて、視認できない状態となっていればよい。より好ましくは、副図柄ｓの半分が覆われている状態であるとよい。これによって、使用者は、展開状態では副図柄ｓの全形を認識することは難しく、ナプキン１、中央保護シート１５又はウイング保護シート１６を包装材１１から分離させることによって副図柄ｓの全形の視認が可能となるため、使用者の気分を使用時に向上させやすくなる。
【００８２】
副図柄ｓを、任意の位置に配置することが可能である。つまり、展開状態において、ナプキン１、中央保護シート１５、又はウイング保護シート１６が重ねられる位置であれば、適宜変更可能である。例えば、図４に示す包装材１１のうち、長手方向に最も後側の主図柄ｍのうち右側に設けられた主図柄ｍｓの位置に副図柄ｓを設けてもよい。また、主図柄ｍｓの位置に副図柄ｓを設けた場合のように、副図柄ｓの少なくとも一部がウイング保護シート１６と重なるものであってもよい。副図柄ｓの少なくとも一部をウイング保護シート１６と重なるものとした場合には、副図柄ｓの幅方向の長さＷｓがウイング保護シート１６の幅方向の長さよりも短いことがより好ましい。ウイング保護シート１６によって副図柄ｓを覆いやすくなるため、ウイング保護シート１６を包装材１１から分離させることによって副図柄ｓを視認しやすい状態となるため、使用者の気分を向上させやすくなる。また、主図柄ｍｓの位置に副図柄ｓを設けることで、図７Ａ及び図７Ｂのような包装状態において、第１折り畳み部Ｆ１で折り畳まれた包装体１０の前側の端部が副図柄ｓを覆う。これによって、包装状態において、外観から副図柄ｓを視認することができないものとしているため、使用時に包装体１０を開封して初めて副図柄ｓの存在を知ることができ、使用時の気分を向上させやすくなる。
【００８３】
上述の実施形態においては、主図柄ｍと副図柄ｓは、それぞれ猫の図柄であり、互いに姿勢が異なっているものとしたが、これに限られない。例えば、大きさの異なる図柄や、色の異なる図柄、左右対称な図柄等であってもよい。
【００８４】
図１１Ａは、別の実施形態における包装材１１を内側から見た図である。図１１Ｂは、別の実施形態における包装材１１を内側から見た図である。図１１Ａや図１１Ｂに示すように、主図柄ｍや副図柄ｓはそれぞれ任意に変更が可能である。特に、１１Ｂに示すように、副図柄ｓを子猫として、副図柄ｓを主図柄ｍよりも明らかに小さくすることで、主図柄ｍと副図柄ｓの面積が異なるものである場合には、その大きさの違いにより副図柄ｓに気付きやすくさせることができる。
【符号の説明】
【００８５】
１  ナプキン（吸収性物品）、
１Ａ  前側部、１Ｂ  中央部、１Ｃ  後側部、
１Ｗ  ウイング部、
２  肌側シート、３  非肌側シート、
４  吸収体、５  圧搾部、
６  中央粘着部、７  ウイング粘着部、
１０  包装体（吸収性物品包装体）、
１１  包装材、
１１ａ  内側の面（内側になる面）、
１１ｂ  外側の面（外側になる面）、
１２  テープ、
１５  中央保護シート、
１６  ウイング保護シート、
１００  パッケージ（吸収性物品包装体のパッケージ）、
１０１  袋体、
Ｆ１  第１折り畳み部、Ｆ２  第２折り畳み部、
ｍ  主図柄、
ｓ  副図柄
【図１】
2018102974.tif 000003
【図２】
2018102974.tif 000004
【図３】
2018102974.tif 000005
【図４】
2018102974.tif 000006
【図５】
2018102974.tif 000007
【図６】
2018102974.tif 000008
【図７】
2018102974.tif 000009
【図８】
2018102974.tif 000010
【図９】
2018102974.tif 000011
【図１０】
2018102974.tif 000012
【図１１】
2018102974.tif 000013